(57)【要約】【課題】  検出した向きに従い表示部への供給電流量を制御する。【解決手段】  携帯電話の制御部７はＬＣＤ表示部４の供給電流制御機能を有する。携帯電話は、ＬＣＤ表示部４の表示面を含む所定の面を有する筐体と、該筐体の所定の面の垂直方向の向きを検出するための５軸センサ５とを備える。制御部７は、５軸センサ５の検出の出力１６を入力して、出力１６に基づいて所定の面が下を向いているか否かを判断し、当該判断の結果に基づいてＬＣＤ表示部４に対する供給電流レベルを段階的に変更する。例えば、所定の面が下を向いていると判断した場合には、バックライト制御部３を介してバックライトを消灯し、その後にＬＣＤ表示部４に対する電流供給を断つようにする。【選択図】        図１
2006101331.tif 000002
【特許請求の範囲】
【請求項１】
表示部と、
前記表示部の表示面を含む所定の面を有する筐体と、
前記筐体の前記所定の面の垂直方向の向きを検出する向き検出手段と、
前記向き検出手段の検出出力に基づいて前記所定の面が下を向いているか否かを判断し、当該判断の結果に基づいて前記表示部に対する供給電流レベルを変更する制御手段とを備える、表示部の供給電流制御機能を有した携帯型端末。
【請求項２】
前記制御手段は、前記所定の面が下を向いていると判断した場合には、段階的に、前記表示部に対する供給電流レベルを変更する、請求項１に記載の表示部の供給電流制御機能を有した携帯型端末。
【請求項３】
前記表示部はバックライトを有する表示部であり、
前記制御手段は、前記所定の面が下を向いていると判断した場合には、前記バックライトを消灯し、その後に前記表示部に対する電流供給を断つことを特徴とする、請求項２に記載の表示部の供給電流制御機能を有した携帯型端末。
【請求項４】
前記向き検出手段は、垂直方向の磁気成分を検出する垂直方向磁気検出手段を含み、
前記制御手段は、前記垂直方向磁気検出手段の検出値に基づいて、前記所定の面が下を向いているか否かを判断する、請求項１に記載の表示部の供給電流制御機能を有した携帯型端末。
【請求項５】
前記筐体が動いたか否かを検出する移動検出手段をさらに備えて、
前記制御手段は、前記移動検出手段により前記筐体が動いたと検出されたことに応じて、前記所定の面が下を向いているか否かを判断することを特徴とする、請求項１に記載の表示部の供給電流制御機能を有した携帯型端末。
【請求項６】
前記移動検出手段は、前記筐体に対して所定の方向について加えられた加速度を検出する加速度検出手段であり、
前記制御手段は、前記加速度検出手段の加速度の検出値に基づいて、前記筐体が動いたか否かを判断することを特徴とする、請求項５に記載の表示部の供給電流制御機能を有した携帯型端末。
【請求項７】
前記移動検出手段は、所定の方向の磁気成分を検出する所定の磁気検出手段と、前記所定の磁気検出手段の検出値を記憶する検出値記憶手段とを含み、
前記制御手段は、或る時点での前記所定の磁気検出手段の検出値と前記検出値記憶手段に記憶されたそれ以前の前記検出値とを比較し、当該比較結果に基づいて、前記筐体が動いたか否かを判断する、請求項６に記載の表示部の供給電流制御機能を有した携帯型端末。
【請求項８】
前記所定の面を有する筐体を第１の筐体とし、前記第１の筐体とは異なる第２の筐体と、前記第１の筐体と前記第２の筐体とを接続するヒンジ部と、
前記第１筐体と前記第２の筐体が前記所定の面を介在させるようにして、前記ヒンジ部介して折り畳まれた状態にあるか否かを検出する折り畳み検出手段とをさらに備えて、
前記制御手段は、前記折り畳み検出手段による検出出力と、前記向き検出手段の検出出力とに基づきに、前記表示部に対する供給電流レベルを変更することを特徴とする、請求項１に記載の表示部の供給電流制御機能を有した携帯型端末。
【請求項９】
前記制御手段の機能は任意に有効または無効に切換えられることを特徴とする、請求項１に記載の表示部の供給電流制御機能を有した携帯型端末。
【発明の詳細な説明】
【技術分野】
【０００１】
この発明は表示部の供給電流制御機能を有した携帯型端末に関し、特に、向きに従い表示部の供給電流を制御する機能を有した携帯型端末に関する。
【背景技術】
【０００２】
携帯電話機などの携帯型端末は、携帯性を生かすために内蔵するバッテリで駆動用の電源が供給されるため、消費電力量の低減が要求されていた。消費電力量の低減方法は従来から各種提案されてきており、中でも画面表示用のライトにかかる消費電力量を低減するための技術が例えば特許文献１〜４により提案されている。
【０００３】
特許文献１では、ユーザは通話中は表示部の表示を見ないという想定のもとに本体筐体の傾きが略水平であり、かつ通話中であるときは表示部に電源を供給して、通話に伴う制御情報を表示部に表示しているときに本体の傾きが略水平方向から略垂直方向に変化したときは表示部へ電源を断つように制御することによって消費電力量を低減している。
【０００４】
また、特許文献２では、利用者が操作し終えてリモートコントローラをテーブルなどに置くと、リモートコントローラ内部の振動センサが振動を検出しなくなり、一定時間以上振動を検出しない場合には利用者によるリモートコントローラの操作が終了したと判断してディスプレイおよびそのバックライトを消灯することが記載されている。
【０００５】
また、特許文献３には、電子機器について検出される傾きと該電子機器にユーザの視線方向が向けられているかの検知結果とに基づき、バックライトのＯＮ/ＯＦＦを制御する機能が提案されている。
【０００６】
また、特許文献４では、人体が筐体に接触していることを検知する接触センサと、人が表示部に向いていることを検知する顔向けセンサとを用いて、これらセンサ出力の基づき、表示部を含む現在使用されていない不要部分への電源供給を切断または低減する機能が提案されている。
【特許文献１】特開平７−３０７７７６号公報
【特許文献２】特開平１０−３０４４８０号公報
【特許文献３】特開平９−１２０３２３号公報
【特許文献４】特開２００４−４６３８６号公報
【発明の開示】
【発明が解決しようとする課題】
【０００７】
携帯電話などの携帯機器は、通常、表示画面が下向き（地面に相対する向き）となるように置かれた状態では、例えば表示画面がテーブルの表面に接するようにして携帯機器が置かれたときは、ユーザは表示画面を見ることはないので、表示画面のライトを消灯しても差し支えない。このように、ユーザが表示部を見ることができないような向きとなったときには表示部の消灯をすることで消費電力量を低減できると考えられる。
【０００８】
しかしながら、従来は、特許文献１〜４に示されるように、本体の傾き、本体の振動、本体への接触、および本体に視線が向けられているかを検出して、検出結果に基づき表示部の点灯制御をするものはあったけれども、筐体の向きを検出して、表示画面のライトの点灯を制御するものは提案されていなかった。
【０００９】
それゆえにこの発明の目的は、検出した向きに従い表示部への供給電流量を制御できる機能を有した携帯型端末を提供することである。
【課題を解決するための手段】
【００１０】
この発明のある局面に従うと、表示部の供給電流制御機能を有した携帯型端末は、表示部と、表示部の表示面を含む所定の面を有する筐体と、筐体の所定の面の垂直方向の向きを検出する向き検出手段と、向き検出手段の検出出力に基づいて所定の面が下を向いているか否かを判断し、当該判断の結果に基づいて表示部に対する供給電流レベルを変更する制御手段とを備える。
【００１１】
好ましくは、制御手段は、所定の面が下を向いていると判断した場合には、段階的に、表示部に対する供給電流レベルを変更する。
【００１２】
好ましくは、表示部はバックライトを有する表示部であり、制御手段は、所定の面が下を向いていると判断した場合には、バックライトを消灯し、その後に表示部に対する電流供給を断つ。
【００１３】
好ましくは、向き検出手段は、垂直方向の磁気成分を検出する垂直方向磁気検出手段を含み、制御手段は、垂直方向磁気検出手段の検出値に基づいて、所定の面が下を向いているか否かを判断する。
【００１４】
好ましくは、筐体が動いたか否かを検出する移動検出手段をさらに備えて、制御手段は、移動検出手段により筐体が動いたと検出されたことに応じて、所定の面が下を向いているか否かを判断する。
【００１５】
好ましくは、移動検出手段は、筐体に対して所定の方向について加えられた加速度を検出する加速度検出手段であり、制御手段は、加速度検出手段の加速度の検出値に基づいて、筐体が動いたか否かを判断する。
【００１６】
好ましくは、移動検出手段は、所定の方向の磁気成分を検出する所定の磁気検出手段と、所定の磁気検出手段の検出値を記憶する検出値記憶手段とを含み、制御手段は、或る時点での所定の磁気検出手段の検出値と検出値記憶手段に記憶されたそれ以前の検出値とを比較し、当該比較結果に基づいて、筐体が動いたか否かを判断する。
【００１７】
好ましくは、所定の面を有する筐体を第１の筐体とし、第１の筐体とは異なる第２の筐体と、第１の筐体と前記第２の筐体とを接続するヒンジ部と、第１筐体と第２の筐体が所定の面を介在させるようにして、ヒンジ部介して折り畳まれた状態にあるか否かを検出する折り畳み検出手段とをさらに備えて、制御手段は、折り畳み検出手段による検出出力と、向き検出手段の検出出力とに基づきに、表示部に対する供給電流レベルを変更する。
【００１８】
好ましくは、制御手段の機能は任意に有効または無効に切換えられる。
【発明の効果】
【００１９】
本発明によれば、表示部の表示面を有する筐体の所定の面の向きを検出して、検出した向きを判断し、その結果に基づいて表示部に対する供給電流レベルを変更することができる。
【発明を実施するための最良の形態】
【００２０】
以下、この発明の実施の形態について図面を参照し説明する。ここでは、携帯型端末として携帯型電話機を例示しているがこれに限定されず、表示部を有する筐体を備える端末であれば同様に適用することができる。
【００２１】
図１（Ａ）と（Ｂ）には、本実施の形態に係る携帯型電話機（以下、携帯電話という）の機能ブロック構成が示される。図２（Ａ）と（Ｂ）には本実施の形態に係る５軸センサの構成が示される。図３と図４（Ａ）〜（Ｃ）には、携帯電話の下向きとなる状態の一例が示される。図５と図６には本実施の形態に係る携帯電話の外観が示される。図７と図８には、本実施の形態に係る処理フローチャートが示される。
【００２２】
図１（Ａ）を参照して携帯電話は、通信のためのアンテナ１および無線通信制御部２、バックライト制御部３によりバックライトの点灯が制御されるＬＣＤ（Liquid Crystal Display）表示部４、５軸センサ５、記憶部６、制御部７、テンキーおよび各種ボタンを備えてユーザ操作による情報を入力するための操作入力部８、バッテリなどの電源部９、磁場を検出する１つまたは複数のセンサを有するヒンジセンサ１０、通話のためのマイク１８およびスピーカ１７、および撮影のためのカメラ１９を備える。制御部７は他の各部を制御・監視するためにＣＰＵ（Central Processing Unit）１１、各種のプログラムおよびデータを格納するためのＲＯＭ（Read only Memory）１２およびＲＡＭ（Random Access Memory）１３を有する。ＲＯＭ１２には後述する図１（Ｂ）のテーブル１４、しきい値データＨＤ、および前回加速度データＡＳが予め格納される。しきい値データＨＤはヒンジセンサ１０の出力レベルと比較照合される。前回加速度データＡＳは携帯電話に加えられる重力加速度の変化を検出するために参照される。
【００２３】
携帯電話は図５に示すように、主に、第１の筐体２２と第２の筐体２４から構成される。ここでは２つの筐体を有するとしているが、１つの筐体のみを有してもよいし、３個に分かれた筐体を有してもよい。
【００２４】
第１の筐体２２には、突出部２８が取付けられている。突出部２８には、ヒンジ部２３が、当該突出部２８の左右両端と接続されるように、仮想の軸Ａ１を回転軸として回動可能に、取付けられている。ヒンジ部２３には、第２の筐体２４が、当該ヒンジ部２３に対して仮想の軸Ａ２を回転軸として回動可能に、取付けられている。ヒンジ部２３は第２の筐体２４を軸Ａ２で回動させるためのヒンジと第２の筐体２４を軸Ａ１で回転させて折り畳むためのヒンジを備える。各ヒンジは、同じ仕組みを有しており、回動させるためのヒンジに関しては、ヒンジ部２３と筐体２４との境界の筐体２４側に磁石を有し、ヒンジ部２３側に該磁石が接している状態であるかを検出する（磁場を検出する）センサを有する。折り畳むためのヒンジに関しては、後述のスピーカ１７付近とマイク孔１８Ａ付近とにおいて、一方には磁石が設けられて、他方には該磁石にかかる磁場を検出するためのセンサが設けられる。磁場を検出するこれらセンサはヒンジセンサ１０を構成する。
【００２５】
この２つのセンサの検出結果に基づき、ＣＰＵ１１は、図５の状態であるか、筐体が折り畳まれた状態（図６参照）か、図５の状態において軸Ａ２で筐体２４が回動している状態であるか、図６の状態で筐体２４が回動している状態であるかを検知する。
【００２６】
第１の筐体２２には、その主面に、ユーザが電話番号や文字や記号などの情報の入力、および各種機能の起動/停止の指示入力のための入力ボタン群８Ａおよび機能ボタン群８Ｂが設けられ、さらに、マイク１８に音声を入力するための第１のマイク孔１８Ａ、および、第２のマイク孔１８Ｂが設けられている。また、第１の筐体２２の側面には、カメラ１９のシャッタボタン８Ｃが設けられている。操作入力部８は入力ボタン群８Ａ、機能ボタン群８Ｂおよびシャッタボタン８Ｃを含む。
【００２７】
第２の筐体２４には、その主面に、ＬＣＤ表示部４の表示画面４Ａおよびスピーカ１７を備える。
【００２８】
図６には、携帯電話の、図５に示される状態から、ヒンジ部２３が軸Ａ１に沿って回動されることにより、折り畳まれて、第２の筐体２４と第１の筐体２２との主面同士が対向し当接している状態が示される。図３には図６の筐体が開かれた状態を筐体の長手方向の側面からの概観が模式的に示される。
【００２９】
図２（Ａ）を参照して、５軸センサ５は表示画面４Ａを有する第２の筐体２４に内蔵されている。５軸センサ５は、携帯電話の第２の筐体２４を地面と水平になるように置いたときに、その水平面内において直交する２つの軸（Ｘ軸とＹ軸）とこの２つの軸それぞれに直交し、かつ地面に垂直のＺ軸を想定したとき、Ｘ軸、Ｙ軸およびＺ軸のそれぞれの方向についての地磁気成分を検出するための磁気センサ５２と、Ｘ軸およびＹ軸のそれぞれの方向についての重力加速度成分を検出するための加速度センサ５１とを含む。加速度センサ５１は出力１６として電圧信号（ｍＶ）であるＸ軸方向の重力加速度成分信号ＸＶ１とＹ軸方向の重力加速度成分信号ＹＶ１とを出力１６として導出する。磁気センサ５２は、Ｘ軸、Ｙ軸およびＺ軸のそれぞれについての電圧信号（ｍＶ）である地磁気成分を地磁気成分信号ＸＶ２、ＹＶ２およびＺＶ２として出力１６を導出する。加速度センサ５１と磁気センサ５２は選択的に一方が能動化される。つまり、両者は制御部７のＣＰＵ１１が出力する選択指示信号１５を入力し、入力した選択指示信号１５が加速度センサ５１の選択を示すときには加速度センサ５１が検出動作して出力１６を導出し、選択指示信号１５が磁気センサ５２の選択を示すときには、磁気センサ５２が検出動作して出力１６を導出する。
【００３０】
携帯電話では、上述のように５軸センサ５は、表示画面４Ａが設けられた第２の筐体２４に内蔵されており、第２の筐体２４の主面および当該主面の裏面に沿う面内に、Ｘ軸およびＹ軸が定義されており、当該主面およびその裏面に対して垂直な方向に、Ｚ軸が定義されている。
【００３１】
本実施の形態に係る携帯電話では、ＬＣＤ表示部４の表示画面４Ａのバックライトが、第２の筐体２４の向きに応じて、バックライト制御部３を介して点灯が制御される。「第２の筐体２４の向きに応じて」とは、具体的には、第２の筐体２４の表示画面４Ａが設けられているのと同一面（上記した主面。以下、「表示面」と呼ぶ）が図３の実線矢印方向が示す下を向いているか否かに応じて、ということを意味する。表示面が上を向いているとは図３の破線矢印が示す方向に表示面が向いていることを示す。なお、表示面が下を向いているとは、磁気センサ５２のＺ軸方向（図２（Ｂ）参照）についての地磁気成分信号ＺＶ２に基づいて決定される。
【００３２】
図４（Ａ）〜（Ｃ）に、図３の一点鎖線の矢印ＡＲの方向から見た場合の概観が模式的に示される。これら示される状態において地磁気成分信号ＺＶ２と第２の筐体２４の状態との関係を示す。
【００３３】
図４（Ａ）には、地磁気成分信号ＺＶ２が１７５°に相当のレベルを示すときの第２の筐体２４の向きが示されて、図４（Ｂ）には、地磁気成分信号ＺＶ２が１８０°に相当のレベルを示すときの第２の筐体２４の向きが示される。図４（Ｃ）は、地磁気成分信号ＺＶ２が１８５°に相当のレベルを示すときの第２の筐体２４の向きを示す。なお、図４（Ａ）〜図４（Ｃ）において、破線Ｌは、地面に対して垂直の方向を示し、直線Ａ３は、第２の筐体２４のＺ軸方向を示し、また、図４（Ｂ）は、破線Ｌと直線Ａ３とが重なっている状態を示している。そして、本実施の形態では、上記したような「表示面が下を向いている」状態とは、磁気センサ５２の地磁気成分信号ＺＶ２が１７５°〜１８５°の範囲に相当の信号レベルを導出している状態をいう。なお、「表示面が下を向いている」状態のときは１７５°〜１８５°の範囲としているが、これは一例であり、他の範囲であってもよい。
【００３４】
このような地磁気成分信号ＺＶ２の信号レベルと向きの対応関係は予め実験などにより特定してテーブル１４に登録されている。テーブル１４には図１（Ｂ）に示されるように磁気センサ５２の出力する地磁気成分信号ＺＶ２の複数の信号レベル範囲それぞれと対応する向きのデータ１４０が格納されている。
【００３５】
次に図７と図８のフローチャートを参照して、本実施の形態によるＬＣＤ表示部４のライトの点灯制御について説明する。図７と図８のフローチャートに従うプログラムは予めＲＯＭ１２に格納されて、ＣＰＵ１１がＲＯＭ１２から該プログラムの命令を読出して実行することにより、図７または図８の処理が実行される。図７のフローチャートに従うプログラムは、ここでは所定間隔で周期的に実行されると想定する。
【００３６】
本実施の形態では、図７のフローチャートに従う処理により、携帯電話に対して何らかの加速度が加えられた（筐体の傾きが変わった）ことが検出されると、すなわち、加速度センサ５１の出力１６に基づく加速度データとＲＯＭ１２に格納されている前回検出した加速度データＡＳとの比較結果に基づき、ＣＰＵ１１が加えられている加速度の変化を検出すると、図５に示されるＬＣＤ点灯制御の処理ルーチンが起動される。図５の処理ルーチンでは、磁気センサ５２の地磁気成分信号ＺＶ２のレベルに基づき、テーブル１４を検索して該レベルに対応の向きデータ１４０を読出す。ＣＰＵ１１は読出された向きデータ１４０に基づき、携帯電話の向き、すなわちＬＣＤ表示部４の表示画面４Ａが下向きであるか否かを判別する。そして、その判別結果に基づき、ＬＣＤ表示部４に係るバックライト制御部３を介して、ＬＣＤ表示部４のバックライトの点灯制御を行なう。
【００３７】
図７を参照して、まず、ＣＰＵ１１は加速度センサ５１を選択するための選択指示信号１５を５軸センサ５に出力するので、加速度センサ５１が起動する（ステップＴ（以下、Ｔと略す）１）。そして、ＣＰＵ１１は、起動している加速度センサ５１から出力される加速度成分信号ＸＶ１およびＹＶ１からなる出力１６を入力し（Ｔ２）、出力１６を携帯電話の第２の筐体２４に対して与えられた加速度のデータに変換して、変換して得られた加速度データと予めＲＯＭ１２に記憶している前回検出の加速度データＡＳとを比較し、比較結果に基づき差異が生じているか否か、すなわち第２の筐体２４に加速度が与えられたか否か（すなわち第２の筐体２４が動いたか否か）を判定する（Ｔ３）。
【００３８】
Ｔ３の判定結果が、変位が生じていないことを示す場合には、第２の筐体２４に加速度が与えられていない、すなわち動いていないと判定されて（Ｔ３でＮＯ）、処理は終了するが、変位が生じている、すなわち第２の筐体２４に加速度が与えられて動いていると判定されると（Ｔ３でＹＥＳ）、ＣＰＵ１１は、今回検出された加速度データを用いてＲＯＭ１２の加速度データＡＳを更新し、図５のＬＣＤ点灯制御のルーチンを起動する（Ｔ４）。
【００３９】
図８のＬＣＤ点灯制御ルーチンを起動すると、まずＣＰＵ１１は一時変数である制御のフラグＦを０に初期設定する（ステップＳ（以下、Ｓと略す）１）。フラグＦは携帯電話の状態が図６の折り畳まれた状態（以下、閉じた状態という）であるか否かを指示するフラグである。ここでは、フラグＦが０を示すときは、筐体は閉じた状態であり、１を示すときはそうでない状態（以下、開いた状態という）であるとする。
【００４０】
次にＣＰＵ１１はヒンジセンサ１０の出力を入力して、ヒンジセンサ１０の出力値と、ＲＯＭ１２に格納されている閉じた状態のヒンジセンサ１０の出力の値域を示すしきい値データＨＤとを比較し、比較結果に基づき筐体が開いた状態であるか否かを判定する（Ｓ５）。閉じた状態であれば（Ｓ５でＮＯ）、後述のＳ１９の処理に移行してバックライトを消灯する。これにより、図６のように閉じた状態では表示画面４Ａを見ることはできないのでバックライトは消灯するように制御する。これにより、ＬＣＤ表示部４に供給される電流量を削減して消費電力を低減する。
【００４１】
一方、開いた状態であれば、ＣＰＵ１１はフラグＦを１に設定する（Ｓ７）。
【００４２】
このとき、ＣＰＵ１１はユーザによりＬＣＤ表示部４のバックライトの自動消灯機能が設定されているか否かを判定する（Ｓ９）。自動消灯機能は機能ボタン群８Ｂを所定操作することによりユーザが任意に設定する、すなわち該機能を有効にするかを任意に設定することができる。自動消灯機能が設定されていないときには（無効にされているときは）（Ｓ９でＮＯ）、後述のＳ２５の処理に移行する。
【００４３】
一方、ユーザにより自動消灯機能の設定がされていれば（Ｓ９でＹＥＳ）、ＣＰＵ１１は選択指示信号１５を磁気センサ５２に対して出力する（Ｓ１１）。その後、ＣＰＵ１１は磁気センサ５２の出力１６を入力し（Ｓ１３）、入力した出力１６が示すＺ軸方向の地磁気成分データＺＶ２に基づきテーブル１４を検索して、対応する向きデータ１４０を読出し、読出した向きデータ１４０に基づき携帯電話の第２の筐体２４に係る表示面が下向き状態であるか否かを判定する（Ｓ１５、Ｓ１７）。
【００４４】
下向きでないと判定すると（Ｓ１７でＮＯ）、ＣＰＵ１１はバックライト制御部３のＬＣＤ表示部４への出力信号に基づきＬＣＤ表示部４のバックライトが点灯していないかを判定する（Ｓ２５）。点灯していないと判定すると（Ｓ２５でＹＥＳ）、ＣＰＵ１１はバックライト制御部３に指示し、ＬＣＤ表示部４のバックライトを点灯するように制御する（Ｓ２７）。その後、図７の処理に戻る。一方、点灯していれば（Ｓ２５でＮＯ）、ＬＣＤ点灯制御のルーチンを終了して図７の処理に戻る。このように、動きが検出されて表示面が上向きとなった場合にはバックライトは点灯するように制御される。
【００４５】
このように開いた状態のときにＬＣＤの自動消灯機能が設定されないときは、表示面の向きにかかわらずバックライトは点灯する状態となるように制御される。また、開いた状態のときにＬＣＤの自動消灯機能が設定されるときは、表示面が下向きでなければバックライトは点灯する状態となるように制御される。
【００４６】
Ｓ１７に戻り、テーブル１４から読出した向きデータ１４０に基づき携帯電話の第２の筐体２４に係る表示面が下向き状態であると判定すると（Ｓ１７でＹＥＳ）、ＣＰＵ１１はバックライト制御部３のＬＣＤ表示部４への出力信号に基づきのバックライトが消灯していないかを判定する（Ｓ１９）。消灯していないと判定すると（Ｓ１９でＹＥＳ）、ＣＰＵ１１はバックライト制御部３にバックライトを消灯するよう指示するので、バックライト制御部３はＬＣＤ表示部４のバックライトを消灯し（Ｓ２１）、図５のルーチンを終了し、図７の処理に戻る。一方、バックライトが消灯していれば（Ｓ１９でＮＯ）、図８のルーチンを終了し、図７の処理に戻る。
【００４７】
このように、自動消灯機能が設定されたとき携帯電話が表示面を下向きに置かれた場合には、ユーザが表示画面４Ａを見ていないことがほとんどと考えられるので、その場合にはＬＣＤ表示部４のバックライトを消灯するよう制御する。これによりＬＣＤ表示部４に供給される電流量を低減して携帯電話にかかる消費電力を削減することができる。
【００４８】
なお、図７の処理ルーチンは周期的に繰り返し実行されるとしているが、加速度センサ５１の出力１６に基づく加速度データと前回の加速度データＡＳとの比較結果に従い加速度が加えられた、すなわち動いたと検出されたことを割込みとして受付けて、該割込みに対応するルーチンとして図８の処理が起動されるようにしてもよい。
【００４９】
ここでは、表示面が下向きである場合には、ＬＣＤ表示部４のバックライトを消灯するのみにしていたけれども、次のようにしてもよい。つまり、開いた状態で自動消灯機能が設定されるとき、下向きと検出されたときは、最初の期間（例えば、１０秒間）はバックライトのみを消灯し、その後下向きのままであれば、ＬＣＤ表示部４への電流供給を断つようにするなど、段階的にＬＣＤ表示部４への供給電流レベルを切換えるようにしてもよい。このように下向きと検出されても下とは違う向きに変更される可能性がある最初の期間は、下向きとは違う向きになったときに速やかにＬＣＤ表示部４への供給電流を回復できるようにバックライトのみをＯＦＦにし、最初の期間を過ぎてもなお下向きであるときはＬＣＤ表示部４への電流供給を断つことで消費電力を低減できる。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５１】
【図１】（Ａ）と（Ｂ）はこの発明の実施の形態に係る携帯電話のブロック構成図である。
【図２】（Ａ）と（Ｂ）はこの発明の実施の形態に係る５軸センサの説明図である。
【図３】この発明の実施の形態に係る携帯電話の向きを説明する図である。
【図４】（Ａ）〜（Ｃ）はこの発明の実施の形態に係る携帯電話の向きを説明する図である。
【図５】この発明の実施の形態に係る携帯電話の外観図である。
【図６】この発明の実施の形態に係る携帯電話の外観図である。
【図７】この発明の実施の形態に係るメインのフローチャートである。
【図８】この発明の実施の形態に係るＬＣＤ点灯制御のフローチャートである。
【符号の説明】
【００５２】
３  バックライト制御部、４  ＬＣＤ表示部、４Ａ  表示画面、５  ５軸センサ、７  制御部、１０  ヒンジセンサ、１４  テーブル、１５  選択指示信号、１６  出力、ＡＳ  前回の加速度データ、ＨＤ  しきい値データ。
【図１】
2006101331.tif 000003
【図２】
2006101331.tif 000004
【図３】
2006101331.tif 000005
【図４】
2006101331.tif 000006
【図５】
2006101331.tif 000007
【図６】
2006101331.tif 000008
【図７】
2006101331.tif 000009
【図８】
2006101331.tif 000010